(57)【要約】【課題】  鉄骨梁から面材に対する熱の影響を抑制しつつ、面材の施工性を高める。【解決手段】  鉄骨梁２と、鉄骨梁２の延在方向に対して直交する方向に延在し、鉄骨梁２に固定される木製の根太材３と、根太材３の上面に取り付けられ床面を形成する面材４とを備えるユニット式建物の床構造１である。この床構造１における根太材３の上面は、鉄骨梁２の上面よりも上方に張り出している。【選択図】図１
2015052221.tif 000002
【特許請求の範囲】
【請求項１】
鉄骨梁と、
前記鉄骨梁の延在方向に対して直交する方向に延在し、前記鉄骨梁に固定される木製の根太材と、
前記根太材の上面に取り付けられて床面を形成する面材とを備えるユニット式建物の床構造であって、
前記根太材の上面は、前記鉄骨梁の上面よりも上方に張り出していることを特徴とするユニット式建物の床構造。
【請求項２】
請求項１記載のユニット式建物の床構造において、
前記鉄骨梁と前記根太材との間には、上面が前記根太材の上面と面一であり、なおかつ前記鉄骨梁と平行に延在する木製の際根太材が介在していて、
前記際根太材に対して前記面材が固定されていることを特徴とするユニット式建物の床構造。
【請求項３】
請求項２記載のユニット式建物の床構造において、
前記床面は複数の前記面材を並設することによって形成されており、
複数の前記面材のうち前記際根太材の上方において互いに隣接する前記面材同士の境界が前記際根太材上に沿って配置されていることを特徴とするユニット式建物の床構造。
【請求項４】
請求項１〜３のいずれか一項に記載のユニット式建物の床構造において、
前記面材と前記鉄骨梁との間には断熱材が介在していることを特徴とするユニット式建物の床構造。
【請求項５】
請求項１〜４のいずれか一項に記載のユニット式建物の床構造において、
前記鉄骨梁の上面に対してサッシが取り付けられていることを特徴とするユニット式建物の床構造。
【発明の詳細な説明】
【技術分野】
【０００１】
本発明は、ユニット式建物の床構造に関する。
【背景技術】
【０００２】
従来、複数の建物ユニットで構成されるユニット住宅では、例えば床梁として鉄骨梁が用いられたものが知られている。このような床梁に対しては直接床材などの面材が取り付けられている場合がある（例えば特許文献１参照）。
【先行技術文献】
【特許文献】
【０００３】
【特許文献１】特開２０１３−１００６８６号公報
【発明の概要】
【発明が解決しようとする課題】
【０００４】
しかしながら、鉄骨梁に対して面材が直接取り付けられていると、鉄骨梁が熱橋として作用しやすくなり、建物の熱損失が高まるおそれがあった。また、鉄骨梁の表面が木材と比しても滑らかであるために、面材を鉄骨梁に取り付ける際に滑って、施工性が低下してしまう場合もあった。
このため、本発明の課題は、鉄骨梁から面材に対する熱の影響を抑制しつつ、面材の施工性を高めることである。
【課題を解決するための手段】
【０００５】
請求項１記載の発明は、例えば図１に示すように、
鉄骨梁２と、
前記鉄骨梁２の延在方向に対して直交する方向に延在し、前記鉄骨梁２に固定される木製の根太材３と、
前記根太材３の上面に取り付けられて床面を形成する面材４とを備えるユニット式建物の床構造１であって、
前記根太材３の上面は、前記鉄骨梁２の上面よりも上方に張り出していることを特徴としている。
【０００６】
請求項１記載の発明によれば、根太材３の上面が、鉄骨梁２の上面よりも上方に張り出しているので、根太材３の上面で支持した面材４と、鉄骨梁２との間に隙間を形成することができる。この隙間によって鉄骨梁２から面材４に対する熱の影響を抑制することができる。
また、鉄骨梁２よりも表面が滑りにくい木製の根太材３に面材４が接することなるために、面材４を根太材３に取り付ける際に面材４が滑ってしまうことも防止できる。これにより、面材４の取り付け時における施工性の低下も抑制することが可能である。
【０００７】
請求項２記載の発明は、例えば図１に示すように、請求項１記載のユニット式建物の床構造１において、
前記鉄骨梁２と前記根太材３との間には、上面が前記根太材３の上面と面一であり、なおかつ前記鉄骨梁２と平行に延在する木製の際根太材５が介在していて、
前記際根太材５に対して前記面材４が固定されていることを特徴としている。
【０００８】
請求項２記載の発明によれば、鉄骨梁２と根太材３との間に、上面が根太材３の上面と面一であり、なおかつ鉄骨梁２と平行に延在する木製の際根太材５が介在していて、この際根太材５に対して面材４が固定されているので、例えば木ネジなどの固定具によって面材４を際根太材５に容易に固定することが可能である。
【０００９】
請求項３記載の発明は、例えば図１に示すように、請求項２記載のユニット式建物の床構造１において、
前記床面は複数の前記面材４を並設することによって形成されており、
複数の前記面材４のうち前記際根太材の上方において互いに隣接する前記面材同士の境界が前記際根太材５上に沿って配置されていることを特徴としている。
【００１０】
請求項３記載の発明によれば、際根太材５の上方において互いに隣接する面材４同士の境界が際根太材５上に沿って配置されているので、隣接する面材４を一つの際根太材５に位置合わせすることができ、これらの面材４を際根太材５に確実に固定することができる。
【００１１】
請求項４記載の発明は、例えば図１に示すように、請求項１〜３のいずれか一項に記載のユニット式建物の床構造１において、
前記面材４と前記鉄骨梁２との間には断熱材６が介在していることを特徴としている。
【００１２】
請求項４記載の発明によれば、面材４と鉄骨梁２との間に断熱材６が介在しているので、鉄骨梁２から面材４に対する熱の影響を断熱材６がより確実に遮断することが可能となる。
【００１３】
請求項５記載の発明は、例えば図３に示すように、請求項１〜４のいずれか一項に記載のユニット式建物の床構造１において、
前記鉄骨梁２の上面に対してサッシ１０が取り付けられていることを特徴としている。
【００１４】
請求項５記載の発明によれば、床梁である鉄骨梁２の上面に対してサッシ１０が取り付けられているので、面材４とサッシ１０の下枠１１との段差を従来よりも小さくすることができ、バリアフリーに対応させることが可能となる。
【発明の効果】
【００１５】
本発明によれば、鉄骨梁から面材に対する熱の影響を抑制することができ、なおかつ面材の施工性を高めることができる。
【図面の簡単な説明】
【００１６】
【図１】本実施形態に係るユニット式建物の床構造の概略構成を示す斜視図である。
【図２】本実施形態に係るユニット式建物の床構造の概略構成を示す正面図である。
【図３】図１に示す床構造に対してサッシを設置した状態を示す説明図である。
【図４】従来の床構造に対してサッシを設置した状態を示す説明図である。
【発明を実施するための形態】
【００１７】
以下、図面を参照して本発明の実施の形態について説明する。図１は本実施形態に係るユニット式建物の床構造の概略構成を示す斜視図である。図２は本実施形態に係るユニット式建物の床構造の概略構成を示す正面図である。
【００１８】
図１及び図２に示すように、ユニット式建物の床構造１には、床梁である鉄骨梁２と、鉄骨梁２の延在方向に対して直交する方向に延在し、鉄骨梁２に固定される木製の板材からなる複数の根太材３と、根太材３の上面に取り付けられる床面材としての複数の面材４とが備えられている。
【００１９】
鉄骨梁２は、垂直方向に平行な板状の本体部２１と、本体部２１の上端から水平方向に延在する上面部２２と、本体部２１の下端から水平方向に延在する下面部２３とを備えて断面コ字状に形成されている。
鉄骨梁２は、左右に所定の間隔を空けて一対設けられている。具体的には、一対の鉄骨梁２の本体部２１同士が対向するように配置されている。一対の鉄骨梁２の本体部２１同士の間には断熱材２４が介在している。断熱材２４の上端面及び下端面はそれぞれ鉄骨梁２の上面部２２及び下面部２３に略面一となっている。
【００２０】
根太材３は、鉄骨梁２の上面部２２及び下面部２３の間に配置され、本体部２１に固定される固定部３１と、固定部３１から外側に連続して形成され、その上面で面材４を支持する支持部３２とを備えている。
【００２１】
固定部３１は、鉄骨梁２の本体部２１に対し、ブラケット３１１及びボルト３１２によって固定されている。ブラケット３１１は、板状であってその上下が固定部３１を挟むように折り曲げられている。また、ブラケット３１１は、溶接によって鉄骨梁２の上面部２２及び下面部２３に固定されている。そして、ブラケット３１１と固定部３１とは、ボルト３１２によって締結されている。なお、ブラケット３１１の形状はあくまで一例であり、固定部３１を鉄骨梁２に固定できるのであればその形状は限定されないことはもちろんである。
固定部３１及び支持部３２の下面は同じ高さであるが、支持部３２の方が固定部３１よりも高く形成されている。これにより、支持部３２の上面が鉄骨梁２の上面部２２よりも一段高く形成されている。つまり、支持部３２の上面は、上面部２２の上面よりも上方に張り出しているために、当該支持部３２の上面で支持された面材４と、鉄骨梁２の上面部２２との間には隙間Ｓが形成されることになる。
また、固定部３１の先端から支持部３２までの幅Ｈは、上面部２２よりも長く設定されている。そして、上面部２２と支持部３２との間、つまり鉄骨梁２と根太材３との間には、鉄骨梁２と平行に延在する木製の際根太材５が介在している。この鉄骨梁２と根太材３との間が際根太材５用のスペースとなる。
際根太材５は、左右の鉄骨梁２のそれぞれに対して設けられている。際根太材５の上面は、根太材３の支持部３２の上面と面一となっている。このため、面材４は、支持部３２の上面とともに際根太材５の上面によっても支持されることになる。
【００２２】
複数の面材４は並設されることによって床面を形成している。複数の面材４のうち、際根太材５の上方において互いに隣接する面材４同士の境界は、際根太材５上に沿って配置されている。各面材４は、図示しない木ネジなどによって際根太材５に留め付けられている。そして、隙間Ｓには、上面が際根太材５の上面と面一となる断熱材６が設けられている。断熱材６は例えばスチレンボードやウレタンボードなどのボード系断熱材である。これにより、面材４と鉄骨梁２との間に断熱材６が介在することになる。断熱材６は、隙間Ｓをなす左右の際根太材５に対しても当接している。
また、面材４の下方における鉄骨梁２及び根太材３のなす空間には断熱材７が設けられている。断熱材７には、鉄骨梁２の上面部２２及び下面部２３の間に配置され、先端部が鉄骨梁２の本体部２１に当接する鉄骨当接部７１と、鉄骨当接部７１から外側に連続して形成され、その上面が面材４に当接する面材当接部７２とが備えられている。
【００２３】
図３は、ユニット式建物の床構造１に対してサッシ１０を設置した状態を示す説明図である。また、図４は、従来の床構造１００に対してサッシ１０を設置した状態を示す説明図である。なお、図３及び図４における鉄骨梁２は、床構造１，１００の最も外側に配置された鉄骨梁２を示している。また、いずれの場合においても面材４の表面には、フローリングなどの内装材４１が積層されている。
図３及び図４に示すように鉄骨梁２の上面部２２にはサッシ１０が取り付けられている。図３に示す床構造１におけるサッシ１０の下枠１１と内装材４１との段差Ｈ１と、図４に示す従来の床構造１００におけるサッシ１０の下枠１１と内装材４１との段差Ｈ２とを比較すると、床構造１の段差Ｈ１の方が面材４を嵩上げしているために小さくなる。このため、サッシ１０と内装材４１とをよりフラットに近づけることができ、バリアフリーに対応させることが可能である。
【００２４】
以上のように、本実施形態によれば、根太材３の上面が、鉄骨梁２の上面部２２の上面よりも上方に張り出しているので、根太材３の上面で支持した面材４と、鉄骨梁２との間に隙間Ｓを形成することができる。この隙間Ｓによって、鉄骨梁２から面材４に対する熱の影響を抑制することができる。
また、鉄骨梁２よりも表面が滑りにくい木製の根太材３に面材４が接することなるために、面材４を根太材３に取り付ける際に面材４が滑ってしまうことも防止できる。これにより、面材４の取り付け時における施工性の低下も抑制することが可能である。
【００２５】
また、鉄骨梁２と根太材３との間に、根太材３の上面と面一であり、なおかつ鉄骨梁２と平行に延在する木製の際根太材５が介在していて、この際根太材５に対して面材４が固定されているので、例えば木ネジなどの固定具によって面材４を際根太材５に容易に固定することが可能である。
【００２６】
また、際根太材５の上方において互いに隣接する面材４同士の境界が際根太材５上に沿って配置されているので、隣接する面材４を一つの際根太材５に位置合わせすることができ、これらの面材４を際根太材５に確実に固定することができる。
【００２７】
面材４と鉄骨梁２との間に断熱材６が介在しているので、鉄骨梁２から面材４に対する熱の影響を断熱材６がより確実に遮断することが可能となる。
【００２８】
また、床梁である鉄骨梁２に対してサッシ１０が取り付けられているので、床面材である面材４とサッシ１０の下枠１１との段差を従来よりも小さくすることができ、バリアフリーに対応させることが可能となる。
なお、本発明は上記実施形態に限らず適宜変更可能である。
【符号の説明】
【００２９】
１      ユニット式建物の床構造
２      鉄骨梁
３      根太材
４      面材
５      際根太材
６      断熱材
７      断熱材
１０      サッシ
２１      本体部
２２      上面部
２３      下面部
２４      断熱材
Ｈ１      段差
Ｓ      隙間
【図１】
2015052221.tif 000003
【図２】
2015052221.tif 000004
【図３】
2015052221.tif 000005
【図４】
2015052221.tif 000006